【誤訳訂正書】
【提出日】平成23年1月13日(2011.1.13)
【誤訳訂正１】
【訂正対象書類名】特許請求の範囲
【訂正対象項目名】全文
【訂正方法】変更
【訂正の内容】
【特許請求の範囲】
【請求項１】
複数のビデオフレームを処理する方法であって、
カレントビデオフレームおよび先行ビデオフレームのビデオフィールドのピクセルの輝度値に基づいて、複数の評価指標を判定することと、
前記複数の評価指標に基づいて、第１のビデオフレームの適用可能フェーズを判定することと、
前記適用可能フェーズに基づいて、前記第１のビデオフレームを逆テレシネするか、デインタレースするかを判定することと
を備える方法。
【請求項２】
前記複数の評価指標を判定することは、１）前記第１のフレームの第１のフィールドと第２のフレームの第１のフィールドとの間の絶対差分総和（ＳＡＤＦＳ）に基づく第１の評価指標と、２）前記第１のフレームの第２のフィールドと前記第２のフレームの第２のフィールドとの間の絶対差分総和（ＳＡＤＳＳ）に基づく第２の評価指標と、３）前記第１のフレームの第１のフィールドと、前記第２のフレームの第２のフィールドとの間の絶対差分総和（ＳＡＤＰＯ）に基づく第３の評価指標と、４）前記第１のフレームの第１のフィールドと、前記第１のフレームの第２のフィールドとの間の絶対差分総和（ＳＡＤＣＯ）に基づく第４の評価指標とを計算することを備えている請求項１に記載の方法。
【請求項３】
前記適用可能フェーズを判定することは、ＳＡＤＦＳとＳＡＤＳＳとの低エンベロープレベルと、ＳＡＤＰＯとＳＡＤＣＯとの低エンベロープレベルとを計算することを更に備え、前記低エンベロープレベルは、前記絶対差分総和が入らない最も高い下限を有する値を備える請求項２に記載の方法。
【請求項４】
前記適用可能フェーズを判定することは、
前記計算された低エンベロープレベルに基づいて、複数のブランチデータを判定することと、
前記ブランチデータから判定変数を決定することと
を更に備える請求項３に記載の方法。
【請求項５】
前記適用可能フェーズは、前記複数のビデオフレームのうち少なくとも１つのビデオフレームがテレシネされているか、またはブロードキャスト規格に準拠するかを示す請求項１に記載の方法。
【請求項６】
逆テレシネすることは、逆テレシネするために、前記適用可能フェーズをプルダウンフェーズとして用いることを備える請求項５に記載の方法。
【請求項７】
前記適用可能フェーズの不整合を検出することを更に備える請求項６に記載の方法。
【請求項８】
前記検出された不整合を、オフセットを少なくとも１つの判定変数に調節することによって減少させることを更に備える請求項７に記載の方法。
【請求項９】
ビタビ相等のデコーダで前記判定変数を決定することを更に備える請求項４に記載の方法。
【請求項１０】
前記ビデオフレーム内の少なくとも重複したフィールドを平均することを更に備える請求項１に記載の方法。
【請求項１１】
順序回路を経由してプルダウンフェーズを判定することを更に備える請求項４に記載の方法。
【請求項１２】
前記ピクセルの輝度値に基づいて複数の評価指標を判定することは、ビデオフィールド内の複数のアクティブピクセルに亘る位置i、ｊにおけるピクセル輝度の総和関数を計算することを備える請求項１に記載の方法。
【請求項１３】
前記適用可能フェーズを判定することは、前記判定された適用可能フェーズ内の潜在的な不整合を補正するための補正係数を判定することを更に備える請求項１に記載の方法。
【請求項１４】
前記補正係数は、前記プルダウンフェーズにおける遷移をモニタすることによって判定される請求項１３に記載の方法。
【請求項１５】
複数のビデオフレームを処理する装置であって、
カレントビデオフレームおよび先行ビデオフレームのビデオフィールドのピクセルの輝度値に基づいて、複数の評価指標を判定するように構成された計算モジュールと、
前記複数の評価指標に基づいて、第１のビデオフレームの適用可能フェーズを判定し、前記判定された適用可能フェーズに基づいて、前記カレントビデオフレームを逆テレシネするか、デインタレースするかを判定するように構成されたフェーズ検知器と
を備える装置。
【請求項１６】
前記計算モジュールは、
前記第１のフレームの第１のフィールドと第２のフレームの第１のフィールドとの間の絶対差分総和（ＳＡＤＦＳ）に基づいて、第１の評価指標を判定し、前記第１のフレームの第２のフィールドと前記第２のフレームの第２のフィールドとの間の絶対差分総和（ＳＡＤＳＳ）に基づいて、第２の評価指標を判定し、前記第１のフレームの第１のフィールドと、前記第２のフレームの第２のフィールドとの間の絶対差分総和（ＳＡＤＰＯ）に基づいて、第３の評価指標を判定し、前記第１のフレームの第１のフィールドと、前記第１のフレームの第２のフィールドとの間の絶対差分総和（ＳＡＤＣＯ）に基づいて、第４の評価指標を判定するように構成され、
前記フェーズ検出器は、前記適用可能フェーズを判定するために前記第１、第２、第３、及び第４の評価指標のうち少なくとも１つを用いる請求項１５に記載の装置。
【請求項１７】
前記フェーズ検出器は、前記ビデオフレームのうち少なくとも１つがテレシネされておらず、ブロードキャスト規格に準拠することを示すために、前記判定された適用可能フェーズを用いる請求項１６に記載の装置。
【請求項１８】
前記計算モジュールは、
ＳＡＤＦＳ、ＳＡＤＳＳ、ＳＡＤＰＯ、およびＳＡＤＣＯの低エンベロープレベルを判定し、
前記判定された低エンベロープレベルに基づいて、複数のブランチ情報を判定し、
前記ブランチ情報から判定変数を決定するように更に構成された請求項１６に記載の装置。
【請求項１９】
フェーズ検出器は、前記判定変数に基づいて、各ビデオフレームの前記適用可能フェーズを判定するように更に構成された請求項１８に記載の装置。
【請求項２０】
前記フェーズ検出器は、前記適用可能フェーズをプルダウンフェーズとして識別することによって、前記ビデオフレームを逆テレシネするように構成された請求項１５に記載の装置。
【請求項２１】
前記計算モジュールは、プルダウンフェーズを判定する順序回路を更に備える請求項１７に記載の装置。
【請求項２２】
複数のビデオフレームを処理する装置であって、
カレントビデオフレームおよび先行ビデオフレームのビデオフィールドのピクセルの輝度値に基づいて、複数の評価指標を判定する手段と、
前記複数の評価指標に基づいて、前記カレントビデオフレームの適用可能フェーズを判定する手段と、
前記判定された適用可能フェーズに基づいて、前記カレントビデオフレームを逆テレシネするか、デインタレースするかを判定する手段と
を備える装置。
【請求項２３】
前記逆テレシネするか、デインタレースするかを判定する手段は、前記ビデオフレームのうち少なくとも１つがテレシネされておらず、ブロードキャスト規格に準拠することを示すために、前記適用可能フェーズを用いる請求項２２に記載の装置。
【請求項２４】
前記複数の評価指標を判定する手段は、１）前記第１のフレームの第１のフィールドと前記第２のフレームの第１のフィールドとの間の絶対差分総和（ＳＡＤＦＳ）に基づく第１の評価指標と、２）前記第１のフレームの第２のフィールドと前記第２のフレームの第２のフィールドとの間の絶対差分総和（ＳＡＤＳＳ）に基づく第２の評価指標と、３）前記第１のフレームの第１のフィールドと、前記第２のフレームの第２のフィールドとの間の絶対差分総和（ＳＡＤＰＯ）に基づく第３の評価指標と、４）前記第１のフレームの第１のフィールドと、前記第１のフレームの第２のフィールドとの間の絶対差分総和（ＳＡＤＣＯ）に基づく第４の評価指標とを計算する手段を備える請求項２２に記載の装置。
【請求項２５】
前記適用可能フェーズを判定する手段は、ＳＡＤＦＳとＳＡＤＳＳとの低エンベロープレベルと、ＳＡＤＰＯとＳＡＤＣＯとの低エンベロープレベルとを計算することを更に備え、前記低エンベロープレベルは、前記絶対差分総和が入らない最も高い下限を有する値を備える請求項２４に記載の装置。
【請求項２６】
前記適用可能フェーズを判定する手段は、
前記低エンベロープレベルに基づいて、ブランチ情報を判定する手段と、
前記ブランチ情報から判定変数を決定する手段と
を備える請求項２５に記載の装置。
【請求項２７】
前記ブランチ情報から判定変数を決定する手段は、前記適用可能フェーズをプルダウンフェーズとして識別する手段を備える請求項２６に記載の装置。
【請求項２８】
前記適用可能フェーズを識別する手段は、前記適用可能フェーズの値における不整合を検出する手段を含む請求項２７に記載の装置。
【請求項２９】
プルダウンフェーズを判定する手段が、順序回路を備える請求項２６に記載の装置。
【請求項３０】
複数のビデオフレームを処理する命令を備える機械読取可能媒体であって、前記命令は、実行されると機械に、
第１のビデオフレームおよび第２のビデオフレームのビデオフィールドのピクセルの輝度値に基づいて、複数の評価指標を判定させ、
前記複数の評価指標に基づいて、カレントビデオフレームの適用可能フェーズを判定させ、
前記判定された適用可能フェーズに基づいて、前記カレントビデオフレームを逆テレシネするか、デインタレースするかを判定させる機械読取可能媒体。
【請求項３１】
前記命令は、前記機械に更に、
前記判定された評価指標の各々の低エンベロープレベルを判定させ、
前記判定された低エンベロープレベルに基づいて、複数のブランチ情報を判定させ、
前記ブランチ情報から判定変数を決定させる請求項３０に記載の機械読取可能媒体。
【請求項３２】
前記命令は、前記機械に更に、前記複数のビデオフレームの１つを逆テレシネするためのプルダウンフェーズを判定させる請求項３０に記載の機械読取可能媒体。
【請求項３３】
前記命令は、前記機械に更に、順序回路として動作することによってプルダウンフェーズを判定させる請求項３１に記載の機械読取可能媒体。
【請求項３４】
第１のビデオフレームおよび第２のビデオフレームのビデオフィールドのピクセルの輝度値に基づいて、複数の評価指標を判定し、
前記複数の評価指標に基づいて、カレントビデオフレームの適用可能フェーズを判定し、
前記判定された適用可能フェーズに基づいて、前記カレントビデオフレームを逆テレシネするか、デインタレースするかを判定する
ように構成されたビデオコード化プロセッサ。
【請求項３５】
前記プロセッサは、前記適用可能フェーズをプルダウンフェーズとして用いることによって逆テレシネする請求項３４に記載のビデオコード化プロセッサ。
【請求項３６】
前記ビデオフレーム内の少なくとも重複したフィールドは、逆テレシネ出力を形成するために、前記プロセッサによって平均される請求項３４に記載のビデオコード化プロセッサ。
【誤訳訂正２】
【訂正対象書類名】明細書
【訂正対象項目名】発明の名称
【訂正方法】変更
【訂正の内容】
【発明の名称】順序回路に基づく逆テレシネアルゴリズム
【誤訳訂正３】
【訂正対象書類名】明細書
【訂正対象項目名】０００２
【訂正方法】変更
【訂正の内容】
【０００２】
（３５Ｕ．Ｓ．Ｃ．１１９条の下の優先権主張）
本特許出願は、本願の譲受人に譲渡され、参照することによって本願に明確に組み込まれた、２００５年１０月２４日出願の「順序回路に基づく逆テレシネアルゴリズム」と題された米国特許仮出願６０／７３０,１４５に対する優先権を主張する。
【誤訳訂正４】
【訂正対象書類名】明細書
【訂正対象項目名】００３６
【訂正方法】変更
【訂正の内容】
【００３６】
各フェーズは、判定変数のカレント値に依存する状態と、６つのブランチ情報量との間の遷移を有する、有限順序回路の可能な状態と見なされうる。この遷移が以下のパターンに従う場合、
【数５】
2009513090.tif 000001